(57)【特許請求の範囲】
【請求項１】
蛍光ランプの異常放電が検出されたときに前記蛍光ランプへの電力供給を停止させ、その停止状態を保持する、電池により駆動されるラッチ回路と、点灯装置の通電状態に関係なく前記蛍光ランプ両端の電極フィラメントの接続状態を検知する、電池により駆動されるフィラメント接続検出回路と、前記フィラメント接続検出回路により前記蛍光ランプの取り外しが検知されたときに前記電力供給の停止状態を解除する、電池により駆動されるラッチ解除回路とを有することを特徴とする蛍光ランプ点灯装置。
【発明の詳細な説明】
【０００１】
【発明の属する技術分野】
本発明は蛍光ランプの点灯装置に関する。
【０００２】
【従来の技術】
従来の蛍光ランプ点灯装置では、蛍光ランプが寿命間近のような異常な放電状態になったことを検知した場合、駆動手段に停止信号を送り、点灯装置を停止させている。さらに、その停止状態を保持するためのラッチ手段を具備しているが、ラッチ手段の電源を点灯装置と同系統の電源としているために、点灯装置の主電源をオフした場合には、上記ラッチ手段もリセットされ、停止状態は解除される。このため、再び点灯装置の主電源をオンした場合、再び蛍光ランプの異常を検知して駆動手段に停止信号を送り、点灯装置を停止させるまで蛍光ランプには電力が供給され、異常な放電状態を継続してしまう。
【０００３】
また、蛍光ランプの多灯点灯装置等では、１灯が寿命間近で異常な放電状態となっても残りの複数灯が正常に点灯していれば、異常な蛍光ランプを交換することなくそのまま使用される場合があった。
【０００４】
【発明が解決しようとする課題】
寿命間近の蛍光ランプでは、電極フィラメントに塗布された電子放射性物質が残り少なくなるために電子放射が困難となり、正常な放電状態を維持できなくなる。このとき半波放電等の異常な放電状態となるために、電極間に流れる管電流が減る。すると、蛍光ランプは負性抵抗特性であるためにランプ電極間の電圧が過剰に上昇し、それに伴って電極付近のガラス管壁温度が過剰に上昇する。このような状態を蛍光ランプの寿命末期状態と称する。
【０００５】
上記のような寿命末期状態での点灯が継続されると、蛍光ランプ点灯装置にも通常よりも過剰な電力が加わり続けるため、点灯装置の構成素子である電子部品等にも過剰な温度上昇を招き、点灯装置の寿命を縮める要因になる。
【０００６】
したがって、蛍光ランプが寿命間近のような異常な放電状態となった場合には、速やかに点灯装置の駆動を停止することによって異常な蛍光ランプへの電力供給を停止する必要があり、たとえ点灯装置の主電源をオフした後に再びオンした場合でも、異常な蛍光ランプが接続されたままの場合には上記停止状態が保持される必要がある。また、逆に異常な蛍光ランプが正常な蛍光ランプと交換された場合は、点灯装置の停止状態を解除し、正常な動作状態に復帰させる必要がある。
【０００７】
【課題を解決するための手段】
本発明においては、以下の構成によって上記課題の解決を達成する。すなわち、蛍光ランプが寿命間近等の異常な放電状態となった場合には、点灯装置の駆動を停止し、その停止状態を保持するためのラッチ手段を設ける。このラッチ手段の電源には電池を使用することにより、点灯装置の主電源をオフした後、再びオンした場合でもラッチ手段がリセットされることはなく、点灯装置の停止状態を継続させることが可能となる。
【０００８】
さらに、異常な蛍光ランプを器具から取り外し、別の正常な蛍光ランプに交換した場合の停止状態の解除については、蛍光ランプの取り外しを検知することで可能とする。すなわち、蛍光ランプ両端の電極フィラメントが器具に接続されているか否かを検知するフィラメント接続検出手段を設ける。このフィラメント接続検出手段の電源にも電池を使用することによって、点灯装置の通電状態に関係なくフィラメント接続の有無を常時監視することができる。
【０００９】
さらに、異常となった蛍光ランプが取り外され、フィラメントの接続無しを検知した場合には、先の停止状態を解除するラッチ解除手段を設ける。このラッチ解除手段の電源にも電池を使用することによって、常時通電状態を実現でき、異常な蛍光ランプが交換された場合には点灯装置の通電状態に関係なくラッチを解除でき、点灯装置の正常動作への復帰が可能となる。
【００１０】
【発明の実施の形態】
図１に本発明の一実施例の回路構成図を示す。図１において、１は交流電源、２はフィルタ、３は整流・平滑回路、４、５はスイッチング素子、６は駆動回路、７はチョークコイル、８は直流カット用コンデンサ、９は予熱用コンデンサ、１０は蛍光ランプを表しており、いわゆるハーフブリッジインバータ方式の蛍光ランプ点灯回路を構成している。
【００１１】
上記回路の動作について以下に説明する。交流電源１による交流電圧がフィルタ２を介して整流・平滑回路３に印加されて直流電圧に変換された後、直列に接続されたスイッチング素子４、５の両端に印加される。スイッチング素子４、５は駆動回路６によって、交互にオン−オフを繰り返し、直流電圧を高周波の交流電圧に変換する。この高周波の交流電圧は直流カット用コンデンサ８によって直流成分をカットされ、またチョークコイル７、予熱用コンデンサ９の共振作用により正弦波状となって蛍光ランプ１０に高周波電力を供給し、ランプ１０を点灯させる。
【００１２】
次に、蛍光ランプ１０の異常を検知した場合の点灯回路の停止動作について説明する。１１はランプ異常検知回路、１２はランプ異常判定回路、１３はラッチ回路、１４はラッチ回路１３の電源用電池である。
【００１３】
蛍光ランプ１０は、長期間の点灯や、点灯と消灯の繰り返しにより寿命末期状態となる。寿命末期状態ではランプ両端電極間の電圧が過剰に上昇するため、これをランプ異常検知回路１１により検知して検出信号をランプ異常判定回路１２に送る。ランプ異常判定回路１２によってランプ１０が異常であると判断された場合、ラッチ回路１３を介して駆動回路６に停止信号を送り、スイッチング素子４、５の動作を停止させる。この停止状態はラッチ回路１３により保持される。
【００１４】
ここで、ラッチ回路１３の電源として電池１４を設けることでランプ点灯回路の電源、すなわち交流電源１のオン／オフ状態に関係なく停止状態を保持することが可能である。
【００１５】
次に、異常となった蛍光ランプ１０を正常な蛍光ランプに交換した場合のランプ点灯回路の停止状態の解除は以下の構成により実施する。１５、１６は蛍光ランプ１０の両端電極フィラメント、１７、１８はフィラメントの接続状態を検知するフィラメント接続検出回路、１９、２０はフィラメント接続検出回路１７、１８の電源用電池、２１はラッチ解除回路、２２はラッチ解除回路２１の電源用電池である。
【００１６】
異常な放電状態となった蛍光ランプ１０が取り外されると、フィラメントの接続状態を監視していたフィラメント接続検出回路１７、１８からランプ取り外しを検知した信号がラッチ解除回路２１に送られる。ラッチ解除回路２１はラッチ回路１３をリセットして、ランプ点灯回路の停止状態を解除するのでランプ点灯回路は正常動作に復帰する。
【００１７】
ここで、フィラメント接続検出回路１７、１８の電源として電池１９、２０を設けることでランプ点灯回路の電源、すなわち交流電源１のオン／オフ状態に関係なくランプの取り外しを検出できるようになる。また、ラッチ解除回路２１の電源として電池２２を設けることでランプ点灯回路の電源、すなわち交流電源１のオン−オフ状態に関係なくラッチ回路１３をリセットすることができ、ランプ取り換え後のランプ点灯回路の正常動作復帰が実現できる。
【００１８】
【発明の効果】
本発明によれば蛍光ランプ点灯装置において、蛍光ランプの異常を検知した場合に点灯回路の駆動を停止させ、かつ点灯回路の通電状態に関係なく異常となった蛍光ランプが取り外されるまでその停止状態を保持し、かつ点灯回路の通電状態に関係なく異常となった蛍光ランプが正常な蛍光ランプに交換された場合は点灯回路の駆動を復帰させることが可能となる。
【図面の簡単な説明】
【図１】本発明の一実施例の蛍光ランプ点灯回路の構成を示すブロック図。
【符号の説明】
１…交流電源、２…フィルタ、３…整流・平滑回路、４、５…スイッチング素子、６…駆動回路、７…チョークコイル、８…直流カット用コンデンサ、９…予熱用コンデンサ、１０…蛍光ランプ、１１…ランプ異常検知回路、１２…ランプ異常判定回路、１３…ラッチ回路、１４…ラッチ回路用電源電池、１５、１６…両端電極フィラメント、１７、１８…フィラメント接続検出回路、１９、２０…フィラメント接続検出回路用電源電池、２１…ラッチ解除回路、２２…ラッチ解除回路用電源電池。
【図１】
0004277483.tif 000002